(57)【要約】【課題】ユーザが容易に変更字形の該当文字であることを認識することができる印刷装置およびプログラムを提供する。【解決手段】既存字形、および当該既存字形とは異なる変更字形を有する対象文字を、既存字形または変更字形のいずれかで入力および印刷可能な印刷装置１であって、対象文字を含む文字情報８３を入力する入力手段と、入力された文字情報に基づいて表示を行うディスプレイ２４と、入力された文字情報に基づいて印刷を行う印刷手段と、を備え、入力手段により対象文字が変更字形で入力された場合、表示手段は、対象文字に付加情報２を付加して表示し、印刷手段は、対象文字を変更字形で印刷する。【選択図】図２
2009012222.tif 000002
【特許請求の範囲】
【請求項１】
既存字形、および当該既存字形とは異なる変更字形を有する対象文字を、前記既存字形または前記変更字形のいずれかで入力および印刷可能な印刷装置であって、
前記対象文字を含む文字情報を入力する入力手段と、
入力された前記文字情報に基づいて表示を行う表示手段と、
入力された前記文字情報に基づいて印刷を行う印刷手段と、を備え、
前記入力手段により前記対象文字が前記変更字形で入力された場合、
前記表示手段は、前記対象文字を前記文字情報に含まれる他の文字とは異なる態様で表示し、
前記印刷手段は、前記対象文字を前記変更字形で印刷することを特徴とする印刷装置。
【請求項２】
前記表示手段は、前記異なる態様として、前記対象文字の近傍に、前記変更字形である旨を示す付加情報を付加することを特徴とする請求項１に記載の印刷装置。
【請求項３】
前記表示手段は、前記入力手段により前記対象文字が前記既存字形で入力されたか前記変更字形で入力されたかに関わらず、前記対象文字を前記既存字形で表示することを特徴とする請求項１または２に記載の印刷装置。
【請求項４】
前記表示手段は、前記入力手段により入力された前記対象文字の字形に基づいて、当該対象文字を前記既存字形または前記変更字形で表示することを特徴とする請求項１または２に記載の印刷装置。
【請求項５】
前記入力手段により前記対象文字が前記既存字形で入力された場合、
前記表示手段は、前記対象文字の近傍に、前記既存字形である旨を示す付加情報を付加することを特徴とする請求項２に記載の印刷装置。
【請求項６】
前記表示手段は、前記既存字形または前記変更字形である旨を示す前記付加情報として、前記対象文字の前または後に１文字分の領域を有する識別符号を付加することを特徴とする請求項５に記載の印刷装置。
【請求項７】
前記入力手段は、前記表示手段に表示された前記対象文字または前記付加情報が編集対象となっている状態における所定キーの操作により、前記対象文字の入力を前記既存字形と前記変更字形とで切り替えることを特徴とする請求項５または６に記載の印刷装置。
【請求項８】
コンピュータを、請求項１ないし７のいずれか１項に記載の印刷装置における各手段として機能させるためのプログラム。
【発明の詳細な説明】
【技術分野】
【０００１】
本発明は、既存字形、および当該既存字形とは異なる変更字形を有する対象文字を、既存字形または変更字形のいずれかで入力および印刷可能な印刷装置およびプログラムに関するものである。
【背景技術】
【０００２】
従来、この種の印刷装置として、変更字形の文字である変更文字の表示または印刷機能を備えた文書作成装置が知られている（特許文献１参照）。この文書作成装置は、既存字形の文字である既存文字と、上記の以外の変更文字と表示および印刷する機能を有しており、表示時または印刷時に既存文字および変更文字の字形・字体を任意選択的に変更できる。なお、「字形」とは表示上の文字の形を示し、「字体」とは印刷上の文字の形を示すものである。
【特許文献１】特開平７−１３４７０８号公報
【発明の開示】
【発明が解決しようとする課題】
【０００３】
しかしながら、上記の構成では、文字を表示した際に、その文字が既存字形であるか、変更字形であるかをユーザが認識することができなかった。例えば変更字形の規格として「ＪＩＳ  Ｘ  ０２１３：２００４」（以降ＪＩＳ２００４とする）が知られているが、上記の構成では、表示された文字が「ＪＩＳ２００４」の該当文字であるか否かを判断できないため、「ＪＩＳ２００４」に対応した装置であっても、ユーザが有効に利用できないといった問題があった。なお、「ＪＩＳ２００４」とは新拡張ＪＩＳコードとも呼ばれる日本語の文字コードで、本来の日本語の文字コードであるＪＩＳコードを拡張した規格を指すものである。
【０００４】
本発明は、入力した文字が変更字形に該当すること、および当該文字が変更字形で印刷されることをユーザが認識できる印刷装置およびプログラムを提供することを課題とする。
【課題を解決するための手段】
【０００５】
本発明の文字入力装置は、既存字形、および当該既存字形とは異なる変更字形を有する対象文字を、既存字形または変更字形のいずれかで入力および印刷可能な印刷装置であって、対象文字を含む文字情報を入力する入力手段と、入力された文字情報に基づいて表示を行う表示手段と、入力された文字情報に基づいて印刷を行う印刷手段と、を備え、入力手段により対象文字が変更字形で入力された場合、表示手段は、対象文字を文字情報に含まれる他の文字とは異なる態様で表示し、印刷手段は、対象文字を変更字形で印刷することを特徴とする。
【０００６】
この構成によれば、既存字形および変更字形を有する対象文字が変更字形で入力された場合、他の文字とは異なる態様で表示するため、変更字形で入力したこと、および変更字形で印刷されることをユーザが認識することができる。また、印刷装置を提供する側は、ユーザに対し、変更字形に対応した装置であることを示唆することができる。なお、「異なる態様で表示する」とは、フォントの種類、フォントの大きさ、フォントの色、文字飾り、付加情報、表示形態（点滅表示等）が異なるように表示することを含むものである。
【０００７】
この場合、表示手段は、異なる態様として、対象文字の近傍に、変更字形である旨を示す付加情報を付加することが、好ましい。
【０００８】
この構成によれば、変更字形の該当文字の近傍に付加情報を付加するため、ユーザは容易にその文字が変更字形であることを認識することができる。
【０００９】
この場合、表示手段は、入力手段により対象文字が既存字形で入力されたか変更字形で入力されたかに関わらず、対象文字を既存字形で表示することが、好ましい。
【００１０】
この構成によれば、表示用のフォントとして、既存字形のみ搭載すればよいため、既存字形と変更字形の両方を搭載する場合と比較して、フォントを記憶しておくためのメモリ容量を小さくできる。
【００１１】
この場合、表示手段は、入力手段により入力された対象文字の字形に基づいて、対象文字を既存字形または変更字形で表示することが、好ましい。
【００１２】
この構成によれば、対象文字を入力された字形で表示するため、表示手段上で入力した字形を確認することができる。
【００１３】
この場合、入力手段により対象文字が既存字形で入力された場合、
表示手段は、対象文字の近傍に、既存字形である旨を示す付加情報を付加することが、好ましい。
【００１４】
この構成によれば、変更字形だけでなく、既存字形の該当文字の近傍にもその旨を示す付加情報を付加するため、ユーザはその文字が変更字形であるか否かだけでなく、既存字形であるか否かについても容易に認識することができる。
【００１５】
この場合、表示手段は、既存字形または変更字形である旨を示す付加情報として、対象文字の前または後に１文字分の領域を有する識別符号を付加することが、好ましい。
【００１６】
この構成によれば、付加情報を対象文字の前または後に付加するため、ユーザは付加情報がどの文字に付加されたものかを容易に判断できる。また、付加情報として１文字分の領域を有する識別符号を付加するため、ユーザに対し分かり易く示すことができると共に表示制御が容易である。
【００１７】
この場合、入力手段は、表示手段に表示された対象文字または付加情報が編集対象となっている状態における所定キーの操作により、対象文字の入力を既存字形と変更字形とで切り替えることが、好ましい。
【００１８】
この構成によれば、所定キーの操作により、対象文字の入力を、既存字形と変更字形とで容易に切り替えることができる。
【００１９】
本発明のプログラムは、コンピュータを、上記に記載の印刷装置における各手段として機能させるためのものであることを特徴とする。
【００２０】
このプログラムを用いることにより、入力された文字が変更字形に該当すること、および当該文字が変更字形で印刷されることをユーザが容易に認識できる印刷装置を実現することができる。
【発明を実施するための最良の形態】
【００２１】
以下、添付の図面を参照して、本発明の一実施形態に係る印刷装置およびプログラムをテープ印刷装置に適用した場合について説明する。本発明は、印刷するための文字情報として変更字形の文字が入力された場合、当該変更字形の文字を、ユーザが認識できるような態様で表示することを特徴とするものである。
なお、以下の説明において、「既存字形」とは従来使われていた（多くのパソコンで現在使われている）字形を指し、「変更字形」とは「ＪＩＳ２００４」に準拠して変更となった文字を指す。また、既存字形および変更字形を有する文字、すなわち複数の字形を有する文字を「対象文字」と称する。さらに、既存字形の対象文字を「既存文字」、変更字形の対象文字を「変更文字」と称する。
【００２２】
図１に示すように、テープ印刷装置１は、処理テープＴに対して印刷処理を行う装置本体１１と、処理テープＴおよびインクリボンＲを収容し、装置本体１１に着脱自在に装着されるテープカートリッジＣとを備えている。
【００２３】
装置本体１１は、装置ケース１２により外殻が形成され、装置ケース１２の前半部上面には、文字等を入力するための複数の文字入力キー１３と、各種選択および確定処理等を行うための複数の機能キー１５と、を備えたキーボード１７（入力手段）が配設されている。ここで、機能キー１５には、ディスプレイ２４に表示される選択肢を選択する上下（左右）キー１５ｂ、処理テープＴのテープ幅９１、テープ長９２および余白領域並びに文字の書式等を設定する各種設定キー１５ａ、入力した未確定文字列８２（図５（ｂ）参照）を確定文字列８３として確定する確定キー１５ｃ、入力編集中の文字等を削除する削除キー１５ｄ、印刷を実行させるための印刷キー１５ｅ、入力した文字を漢字・かな等に変換する変換キー１５ｆ、入力後に字形を変更する字形変更キー１５ｇ（詳細は後述）、対象文字を既存字形または変更字形のいずれで入力するか等の環境設定を行うための環境設定キー１５ｈ（詳細は後述）等が含まれる。
【００２４】
装置ケース１２の後半部上面には、開閉蓋２１が広く設けられ、開閉蓋２１の上面には、テープカートリッジＣの装着／非装着を視認するための覗き窓２２が形成されていると共に、開閉蓋２１の前側にはこれを開放する蓋体開放ボタン２３が設けられている。開閉蓋２１の内部には、テープカートリッジＣが装着されるカートリッジ装着部３１が窪入形成されている。また、装置ケース１２の後半部右上面には、キーボード１７からの入力結果等を表示するディスプレイ２４（表示手段）が形成されている。
【００２５】
装置ケース１２の左側部には、テープ排出口３２が形成され、このテープ排出口３２に臨んで装置ケース１２には、処理テープＴを切断するためのカッタユニット３３が内蔵されている。また、図１では図示を省略したが、装置ケース１２の内部には、装置本体１１を統括制御する制御部６０（図３参照）を構成する回路基板が搭載されている。
【００２６】
カートリッジ装着部３１には、発熱素子を有しヘッドカバー４０に覆われた印刷ヘッド４１と、後述するテープリール５１の位置決めをする位置決め突起４２と、テープカートリッジＣの処理テープＴおよびインクリボンＲを送り、印刷ヘッド４１に対峙するプラテン駆動軸４３およびインクリボンＲを巻き取る巻取り駆動軸４４とが突設されている。また、カートリッジ装着部３１には、カートリッジケース５６の裏面に形成された複数の被検出孔（図示省略）に対応してテープ識別センサ２６（図３参照）が設けられている。また、カートリッジ装着部３１には、プラテン駆動軸４３および巻取り駆動軸４４を駆動する印刷送りモータ４６（図３参照）や減速ギヤ列等（図示省略）が内蔵されている。
【００２７】
テープカートリッジＣは、カートリッジケース５６の内部に、処理テープＴを巻回したテープリール５１と、右下部にインクリボンＲを巻回したリボン繰出しリール５２およびリボン巻取りリール５３とを収容して構成されている。また、テープリール５１の左下部には、印刷ヘッド４１を覆うヘッドカバー４０に差し込むための貫通開口５４が形成されている。さらに、処理テープＴとインクリボンＲとが重なる部分に対応し、上記プラテン駆動軸４３に嵌合して回転運動するプラテンローラ５５が配置されている。
【００２８】
テープカートリッジＣをカートリッジ装着部３１に装着すると、ヘッドカバー４０に貫通開口５４が、位置決め突起４２にテープリール５１が、巻取り駆動軸４４にリボン巻取りリール５３が、プラテン駆動軸４３にプラテンローラ５５が、それぞれ差し込まれ、この状態で開閉蓋２１を閉蓋すると、これに連動して、印刷ヘッド４１が、処理テープＴおよびインクリボンＲを挟み込んでプラテンローラ５５に当接し、印刷待機状態となる。入力編集により印字データが生成されると、生成された印字データに基づき、プラテン駆動軸４３および巻取り駆動軸４４が同期回転して、処理テープＴおよびインクリボンＲを送りながら、印刷ヘッド４１により印刷処理が行われる。これと共に、リボン繰出しリール５２から繰り出されたインクリボンＲは、貫通開口５４の開口壁を周回してリボン巻取りリール５３に巻き取られる。印刷処理後の処理テープＴは、印刷済み部分がフルカッタ３４により切断され、切断された処理テープＴがラベル９０としてテープ排出口３２から外部に排出される。
【００２９】
処理テープＴは、テープ種別（テープ幅９１、テープ色、インクリボン色、テープ材質など）が異なる複数種のものが用意されており、裏面に粘着材層が塗着された記録テープＴ１と、この粘着剤層により記録テープＴ１に貼付された剥離テープＴ２とから構成されている。カートリッジケース５６の裏面には、小さな複数の被検出孔（図示省略）が形成され、上記のテープ識別センサ２６によってこの複数の被検出孔が検出されることにより、処理テープＴの種別を識別できるようになっている。
【００３０】
次に、図２を参照し、ディスプレイ２４（入力・編集画面）の構成および表示内容について説明する。図２に示すように、入力・編集画面は、その下半部領域である入力編集を行うための入力編集領域２４ａと、上半部領域である印刷レイアウト９５を表示するレイアウト表示領域２４ｂと、を備えている。
【００３１】
レイアウト表示領域２４ｂの左側には、検出したテープ幅９１と、作成されるテープ長９２とが小さく数値表示されると共に、その数値表示の右側には、印刷レイアウト９５が大きく表示される。これにより、作成されるラベル９３の大きさ、配置バランスおよび余白領域等を印刷処理前に確認できるようになっている。また、レイアウト表示領域２４ｂは、入力編集領域２４ａにおいて文字が入力されていない状態の場合、白紙のレイアウトを表示し、入力文字が確定された時点で、当該確定文字列８３に基づいて、レイアウトを表示する。
【００３２】
入力編集領域２４ａは、キーボード１７による文字入力に追随して文字列を表示し、文字列が複数行に亘る場合には、各行の文字列を上下に並べて表示する。また、入力された文字列が未確定文字列８２である場合、当該未確定文字列８２を反転表示する（図５（ｂ）参照）。一方、未確定文字列８２が確定キー１５ｃにより確定文字列８３となった場合、当該確定文字列８３を通常表示する（図６（ｅ）参照）。また、入力編集領域２４ａは、各文字列が何行目に位置するかを示す行頭マーク８０と、編集入力位置を指標するカーソル８１とを表示する。また、付加情報として、直後（図示右隣）に位置する文字が「ＪＩＳ２００４」該当文字である旨を示す識別マーク２を表示する。なお、図２（ａ）に示した例において、「辻」が対象文字である。また、図２（ｂ）は、対象文字「辻」の既存字形、図２（ｃ）は、対象文字「辻」の変更字形を示している。
【００３３】
次に、図３を参照し、テープ印刷装置１の制御系について説明する。テープ印刷装置１は、操作部６１と、検出部６２と、印刷部６３（印刷手段）と、切断部６４と、駆動部６５と、これら各部と接続され、テープ印刷装置１全体を制御する制御部６０と、を有している。
【００３４】
操作部６１は、キーボード１７からのデータ入力や、ディスプレイ２４への入力編集結果や印刷レイアウト９５の表示等、ユーザインターフェースとして機能する。検出部６２は、テープ識別センサ２６を有し、処理テープＴ（テープカートリッジＣ）の種別を検出する。印刷部６３は、テープカートリッジＣ、印刷ヘッド４１および印刷送りモータ４６を有し、生成された印字データに基づいて印刷ヘッド４１により処理テープＴに印刷処理を行い、処理テープＴおよびインクリボンＲを搬送しながら処理テープＴ上に、生成された印字データに基づいて印刷を行う。切断部６４は、処理テープＴを切断するフルカッタ３４およびこれを駆動するフルカッタモータ３５からなるカッタユニット３３（図１参照）を有し、印刷処理済みの処理テープＴを所定の長さとなるように切断し、ラベル９３を作成する。駆動部６５は、ディスプレイドライバ６６、ヘッドドライバ６７、印刷送りモータドライバ６８およびカッタモータドライバ６９を有し、各部を駆動する。
【００３５】
制御部６０は、ＣＰＵ（Ｃｅｎｔｒａｌ  Ｐｒｏｃｅｓｓｉｎｇ  Ｕｎｉｔ）７１と、ＣＰＵ７１で各種制御処理を行うための制御プログラムを有するＲＯＭ（Ｒｅａｄ  Ｏｎｌｙ  Ｍｅｍｏｒｙ）７２と、各種制御処理の作業領域となるＲＡＭ（Ｒａｎｄｏｍ  Ａｃｃｅｓｓ  Ｍｅｍｏｒｙ）７３と、テープ印刷装置１の各部と入力データや制御信号の入出力を行う入出力制御装置（以下、「ＩＯＣ：Ｉｎｐｕｔ  Ｏｕｔｐｕｔ  Ｃｏｎｔｒｏｌｌｅｒ」と称する）７４と、を備え、これらは互いに内部バス７５により接続されている。ここで、ＲＯＭ７２内には、既存字形が登録されたベースのフォントデータ７２ａと、変更字形が登録されたＪＩＳ２００４フォントデータ７２ｂと、が記憶されている。
【００３６】
そして、ＣＰＵ７１は、上記の構成により、ＲＯＭ７２内の各種制御プログラムに従って、ＩＯＣ７４を介してテープ印刷装置１内の各部から各種信号・データを入力する。また、入力された各種信号・データに基づいてＲＡＭ７３内の各種データを処理し、ＩＯＣ７４を介してテープ印刷装置１の各部に各種信号・データを出力することにより、入力・編集処理や印刷・切断処理の制御を行う。
【００３７】
次に、図４を参照して、字形選択に関する環境設定について説明する。ユーザにより、テープ印刷装置１の電源がＯＮされると、図４（ａ）に示すように、ディスプレイ２４に、入力・編集画面を表示する。この後、ユーザにより環境設定キー１５ｈが押されると、図４（ｂ）に示すように、環境設定画面に遷移する。
【００３８】
環境設定画面では、字形選択、印刷濃度、表示濃度等の選択肢を表示する。ここで、ユーザは上下キー１５ｂを操作することにより、所望の選択肢を選択し、確定キー１５ｃを押すことで選択項目を確定することができる。つまり、図示のように、字形選択が選択された状態で確定キー１５ｃが押されると、図４（ｃ）に示すように、字形選択画面に遷移する。字形選択画面では、「ＪＩＳ２００４対応」と、「ＪＩＳ２００４非対応」との２つの選択肢を表示する。ここで、「ＪＩＳ２００４対応」の選択肢が選択されると、入力・編集画面で入力された入力文字に既存字形と変更字形を有する対象文字が含まれる場合、当該対象文字を変換キー１５ｆにより変更文字（ＪＩＳ２００４対象の文字）に変換する。また、「ＪＩＳ２００４非対応」の選択肢が選択されると、入力文字に対象文字が含まれる場合、当該対象文字を変換キー１５ｆにより既存文字に変換する。
【００３９】
次に、図５の画面遷移図を参照して、文字入力処理について説明する。なお、以下の説明では、図７（ａ）、（ｂ）に示すラベル９３を作成する場合について言及すると共に、環境設定として「ＪＩＳ２００４対応」が設定されているものとする。
【００４０】
図５（ａ）に示したディスプレイ２４の表示状態において、ユーザにより、文字入力キー１３が押され、さらに文字「わたしは」が入力されると、入力編集領域２４ａには、未確定文字「わたしは」を表示する（図５（ｂ）参照）。ここで、入力文字「わたしは」が誤入力された場合、削除キー１５ｄが押され、さらに入力文字「わたしは」が削除されると、ディスプレイ２４は、図５（ａ）に示す初期状態に戻る。
【００４１】
図５（ｂ）に示す状態で、変換キー１５ｆが押されると、入力編集領域２４ａには、変換後の「私は」を反転表示し（図示省略）、その後、確定キー１５ｃが押されることで、「私は」を確定文字列８３として通常表示する。（図５（ｃ）参照）。次に、ユーザにより、文字「つじです」が入力されると、入力編集領域２４ａには、未確定文字「つじです」を反転表示する（図６（ｄ）参照）。その後、変換キー１５ｆが押されると、入力編集領域２４ａには、変換後の「辻です」（変更字形の辻）が表示され、この後、確定キー１５ｃが押されることで、「辻です」（変更字形の辻）を確定文字列８３として通常表示する（図６（ｅ）参照）。このとき、複数の字形を有する対象文字である「辻」の前には、「辻」がＪＩＳ２００４該当文字であることを指標する識別マーク２を表示する。当該識別マーク２は、１文字分の領域を有する識別符号である。
【００４２】
ここで、（カーソル８１が「辻」に付されている状態で）、ユーザにより、字形変更キー１５ｇが押されると、「辻です」（既存字形の辻）に変換される（図６（ｆ）参照）。この時、レイアウト表示領域２４ｂには、「私は辻（既存字形の辻）です」の印刷レイアウト９５を表示する。ユーザにより、印刷キー１５ｅが押されると、確定文字列８３に基づいて印刷処理を実行し、さらに切断処理を実行して、ラベル９３を作成する。
【００４３】
なお、図７（ａ）は、図６（ｅ）に示す状態で印刷キー１５ｅが押された場合に作成されるラベル８９を示し、図７（ｂ）は、図６（ｆ）に示す状態で印刷キー１５ｅが押された場合に作成されるラベル９０を示している。
【００４４】
次に、図８のフローチャートを参照して、文字の入力からラベル９３の作成に至る一連の動作フローについて説明する。なお、ここでも環境設定として予め「ＪＩＳ２００４対応」が設定されているものする。
【００４５】
入力・編集画面が表示された状態において、ユーザにより、文字が入力されると（Ｓ１）、制御部６０により、入力文字が対象文字であるか否かを判別する（Ｓ２）。入力文字が対象文字である場合（Ｓ２：Ｙｅｓ）、識別マーク２を対象文字の前に挿入表示する（Ｓ３）。このとき、対象文字は変更字形で表示される。ここでユーザにより、ＪＩＳ２００４非対応（既存字形）に変更されない場合（Ｓ４：Ｎｏ）、字形をＪＩＳ２００４フォントデータ７２ｂより抽出して、印字データを生成し（Ｓ５）、その印字データを基にラベル９３を作成する（Ｓ６）。一方、入力文字が対象文字でない場合（Ｓ２：Ｎｏ）、字形をベースのフォントデータ７２ａより抽出して印字データを生成し（Ｓ７）、その印字データを基にラベル９３を作成する（Ｓ６）。
【００４６】
また、ユーザにより字形変更キー１５ｇが押されることで、ＪＩＳ２００４非対応に変更される場合（Ｓ４：Ｙｅｓ）、識別マーク２をテキストに挿入表示しない（Ｓ８）。このとき、対象文字は既存字形で表示される。さらに、対象文字をＪＩＳ２００４対応（変更字形）に再度変更する場合（Ｓ９：Ｙｅｓ）、識別マーク２をテキストに挿入表示し（Ｓ３）、対象文字を変更字形で表示する。ＪＩＳ２００４対応に変更されない場合は（Ｓ９）、字形をベースのフォントデータ７２ａより抽出して印字データを生成し（Ｓ７）、その印字データを基にラベル９３を作成する（Ｓ６）。
【００４７】
以上、本実施形態によれば、識別マーク２がテキストに挿入表示されるため、ユーザがＪＩＳ２００４に該当すること（変更字形であること）を認識することができる。また、テープ印刷装置１を提供するメーカ側は、ユーザに対し、ＪＩＳ２００４に対応した装置であることを示唆することができる。
【００４８】
なお、上記の実施形態では、文字入力後に、字形を切り替えることができるものとしたが、文字が入力される前に、字形変更キー１５ｇが押されることにより、環境設定を変更字形（ＪＩＳ２００４該当文字）と既存字形（ＪＩＳ２００４非該当文字）とに相互に切り替え可能にしてもよい。
【００４９】
続いて、図９のフローチャートを参照し、本発明の第２実施形態について説明する。上記の実施形態では、環境設定として字形選択を行ったが、本実施形態では文字入力後、入力した文字列の中に対象文字が含まれる場合、ユーザに対して字形選択を促す（字形選択画面を表示する）点で異なる。そこで、第１実施形態と異なる点を中心に以下説明する。
【００５０】
入力・編集画面が表示された状態において、ユーザにより、文字が入力されると（Ｓ１０）、制御部６０により、入力文字が対象文字であるか否かを判別する（Ｓ１１）。ここで、入力文字が対象文字である場合（Ｓ１１：Ｙｅｓ）、字形選択画面（図４（ｃ）参照）を表示して、ユーザに対し字形選択を促す（Ｓ１２）。ここでユーザにより、ＪＩＳ２００４対応の字形が選択された場合（Ｓ１２：Ｙｅｓ）、識別マーク２を対象文字の前に挿入表示する（Ｓ１３）。このとき、対象文字は変更字形で表示される。一方、ＪＩＳ２００４非対応（既存字形）が選択された場合は（Ｓ１２：Ｎｏ）、識別マーク２をテキストに挿入表示しない（Ｓ１８）。このとき、対象文字は既存字形で表示される。なおＳ１４〜Ｓ１６，Ｓ１９，Ｓ１７は、図８に示したフローチャートのＳ４〜Ｓ６，Ｓ９，Ｓ７に相当し、第１実施形態と同様の処理を行うため、説明を省略する。
【００５１】
以上、第２実施形態によれば、文字入力後に字形選択を行うため、対象文字を含まない文字入力の場合は字形選択を行う必要が無く、予め環境設定を行う必要が無い。
【００５２】
なお、上記の実施形態では、直後に位置する文字がＪＩＳ２００４該当文字（変更字形）であることを示すために識別マーク２を表示したが、これに代えて、図１０（ａ）に示すように、変更字形の頭文字である「変」を示す識別符号３を表示させても良い。また、ＪＩＳ２００４非該当文字（既存字形）であることを示すために、図１０（ｂ）に示すように、既存字形の頭文字である「既」を示す識別符号４を表示してもよい。つまり、対象文字については、変更字形だけでなく、既存字形で入力された場合も付加情報を付加するようにしてもよい。
【００５３】
また、上記の実施形態では、ＪＩＳ２００４該当文字であることを指標する表示として、「ＪＩＳ２００４マーク」２および「変」を示す識別符号３等の付加情報を付加する以外に、ＪＩＳ２００４該当文字を他の文字とは異なる表示態様としても良い。「異なる表示態様」としては、具体的に、フォントの種類、フォントの大きさ、フォントの色、文字飾り、表示形態（点滅表示等）が異なることを指す。
【００５４】
また、上記の実施形態では、識別マーク２（付加情報）を挿入表示する位置は、対象文字の直前としたが、対象文字の直後や上下であってもよい。
【００５５】
また、上記の実施形態では、変更字形の規格として「ＪＩＳ２００４」を適用したが、ＪＩＳ規格以外の文字規格を変更字形の規格として適用してもよい。
【００５６】
また、上記の実施形態に示した、テープ印刷装置１の各構成要素をプログラムとして提供することが可能である。また、そのプログラムを各種記録媒体（ＣＤ−ＲＯＭ、フラッシュメモリ等）に格納して提供することも可能である。すなわち、コンピュータを、テープ印刷装置１の各手段として機能させるためのプログラム、およびそれを記録した記録媒体も、本発明の権利範囲に含まれるものである。
【図面の簡単な説明】
【００５７】
【図１】本実施形態に係るテープ印刷装置の開蓋状態における外観斜視図である。
【図２】ディスプレイの構成を示す模式図である。
【図３】テープ印刷装置の制御ブロック図である。
【図４】字形選択設定をする一連の動作に関するディスプレイの表示遷移図である。
【図５】文字を入力する一連の動作に関するディスプレイの表示遷移図である。
【図６】文字を入力する一連の動作に関するディスプレイの表示遷移図である。
【図７】作成されたラベルの模式図である。
【図８】文字の入力からラベルを作成に至る一連の動作に関するフローチャートである。
【図９】文字の入力からラベルを作成に至る一連の動作に関する第２実施形態に関するフローチャートである。
【図１０】その他の実施形態のディスプレイの構成を示す模式図である。
【符号の説明】
【００５８】
１…テープ印刷装置  １５ｇ…字形変更キー  １５ｈ…文字入力切替キー  １７…キーボード  ２４…ディスプレイ  ４１…印刷ヘッド  ７１…ＣＰＵ  ７２…ＲＯＭ  ７２ａ…フォントデータ  ７２ｂ…ＪＩＳ２００４フォントデータ  ７３…ＲＡＭ  ７４…ＩＯＣ  ７５…内部バス
【図１】
2009012222.tif 000003
【図２】
2009012222.tif 000004
【図３】
2009012222.tif 000005
【図４】
2009012222.tif 000006
【図５】
2009012222.tif 000007
【図６】
2009012222.tif 000008
【図７】
2009012222.tif 000009
【図８】
2009012222.tif 000010
【図９】
2009012222.tif 000011
【図１０】
2009012222.tif 000012